(57)【特許請求の範囲】
【請求項１】
円板状をなし周部に入力端子と出力端子が複数対取りつけられそれぞれの対の入出力端子間に抵抗を含む電子部品が接続された端子基板と、該端子基板の面に対して直角方向をなすようにハウジング内で該端子基板の中心に連結されかつ回転自在に支持された駆動軸と、複数対のうち一対の入力端子及び出力端子と摺動自在にそれぞれ弾性接触する入力接触子及び出力接触子と、ハウジングにより支持されハウジング内にまで及んで位置する中心導体を有する入力同軸コネクタ及び出力同軸コネクタとを備えたロータリアッテネータ装置において、端子基板の一方の面の側で入力接触子がそして他方の面の側で出力接触子がそれぞれ対応せる入力端子そして出力端子と接触するように取りつけられていることを特徴とするロータリアッテネータ装置。
【請求項２】
入力接触子及び出力接触子は端子基板の半径方向に延びる片持梁状のそれぞれの弾性腕体の一端に設けられ、該弾性腕体が他端で同軸コネクタの中心導体と接続かつ保持されていることとする請求項１に記載のロータリアッテネータ装置。
【請求項３】
ハウジングは互いに平行に対向せる一対の平坦外面を有し、駆動軸、入力同軸コネクタそして出力同軸コネクタのそれぞれの軸線は、一対の外面と平行な面内に位置していることとする請求項１に記載のロータリアッテネータ装置。
【請求項４】
入力接触子及び出力接触子は端子基板の半径方向に延びる片持梁状のそれぞれの弾性腕体の一端に設けられ、該弾性腕体が他端で同軸コネクタの中心導体と接続かつ保持され、ハウジングは互いに平行に対向せる一対の平坦外面を有し、駆動軸、入力同軸コネクタそして出力同軸コネクタのそれぞれの軸線は、一対の外面と平行な面内に位置していることとする請求項１に記載のロータリアッテネータ装置。
【請求項５】
円板状をなし周部に入力端子と出力端子が複数対取りつけられそれぞれの対の入出力端子間に抵抗を含む電子部品が接続された端子基板と、該端子基板の面に対して直角方向をなすように一端側が該端子基板の中心に連結され他端側がハウジング外に突出しかつ中間部で回転自在に支持された駆動軸と、複数対のうち一対の入力端子及び出力端子と摺動自在にそれぞれ弾性接触する入力接触子及び出力接触子と、ハウジングにより支持されハウジング内にまで及んで位置する中心導体を有する入力同軸コネクタ及び出力同軸コネクタとを備えたロータリアッテネータ装置において、ハウジングは互いに平行に対向せる一対の平坦外面を有し、駆動軸、入力同軸コネクタそして出力同軸コネクタのそれぞれの軸線は、一対の外面と平行な一つの面内に位置していることを特徴とするロータリアッテネータ装置。
【請求項６】
入力接触子及び出力接触子は端子基板の半径方向に延びる片持梁状のそれぞれの弾性腕体の一端に設けられ、該弾性腕体が他端で同軸コネクタの中心導体と接続かつ保持されていることとする請求項５に記載のロータリアッテネータ装置。
【請求項７】
円板状をなし周部に入力端子と出力端子が複数対取りつけられそれぞれの対の入出力端子間に抵抗を含む電子部品が接続された端子基板と、該端子基板の面に対して直角方向をなすように一端側が該端子基板の中心に連結され他端側がハウジング外に突出しかつ中間部で回転自在に支持された駆動軸と、複数対のうち一対の入力端子及び出力端子と摺動自在にそれぞれ弾性接触する入力接触子及び出力接触子と、ハウジングにより支持されハウジング内にまで及んで位置する中心導体を有する入力同軸コネクタ及び出力同軸コネクタとを備えたロータリアッテネータ装置において、ハウジングは、略直方体外形のブロック体をなしており、互いに直交する二つのハウジング外面のそれぞれに入力同軸コネクタそして出力同軸コネクタが取り付けられていることを特徴とするロータリアッテネータ装置。
【発明の詳細な説明】
【０００１】
【発明の属する技術分野】
本発明はロータリアッテネータ装置に関する。
【０００２】
【従来の技術】
この種の装置としては、例えば、特開２０００−２９４４１０に開示されているものが知られている。
【０００３】
この公知装置は、添付図面の図５に見られるように一つの電子機器に複数の装置５０が配列されて使用されることが多い。
【０００４】
一つのロータリアッテネータ装置５０は、ハウジング５１内に回転可能な円板状の端子基板５２を有し、これをハウジング５１外に突出せる駆動軸５３に取り付けられるつまみ（図示せず）により所定角のステップ毎に回転駆動される。
【０００５】
端子基板５２の一方の面の周部には、対をなす入力端子と出力端子が複数対配設されている。又、ハウジング５２には、上記駆動軸５３と反対側に、入力同軸コネクタ５４と出力同軸コネクタ５５とが取付けられている。これらのコネクタ５４，５５は、それらの中心導体に接続された接触子５６，５７がハウジング内で、図６に見られるように、上記一対の入力端子５８そして出力端子５９と接触しており、端子基板５２の正逆のステップ回転により、他の対の入力端子５８’そして出力端子５９’と接触するようになる。
【０００６】
入力同軸コネクタ５４そして出力同軸コネクタ５５の接触子５６，５７は同様に作られており、例えば、接触子５４は、図７のごとく、中心導体に接続されている軸部５６Ａに、帯状金属板を横Ｕ字状に屈曲形成したスキッド状をなしている。
【０００７】
上記接触子５４は周方向、すなわち、隣接せる次の入力端子５８’の方向に延びている。該接触子５４は、その弾性により、入力端子と弾性接触し、両端部の丸味によって、隣接せる入力端子と接触するようになる。このような接触子は出力同軸コネクタにも設けられている。
【０００８】
【発明が解決しようとする課題】
上述のごとくの公知装置にあっては、一対の入力端子５８と出力端子５９は、端子基板５２の一方の面の側で、すなわち同じ側でそれぞれ接触子５６，５７と接触する関係上、あまり近接して設けることができない。したがって、入力同軸コネクタ５４と出力同軸コネクタ５５とは、さらに遠い位置に配置されねばならない。
【０００９】
このように入力端子５８と出力端子５９との距離は比較的大きく設定する必要があり、かかる両端子を端子基板５２の周部に複数対配設するとなると、該端子基板５２は大型のものとなる。
【００１０】
したがって、ロータリアッテネータ装置５０を、図５のごとく、複数配列すると、その全幅Ｌはきわめて大きくなり、この装置を用いる電子機器もさらに大型とならざるを得ない。しかも、図７に示したような従来の接触子では、ばねをなす接触子の弾性可能変位量が小さいので、この変位量のバラツキ許容量が少なく、したがって、接触を安定させるのが難しい。さらには、上記接触子はその形状に起因して、一方の回転方向には端子に対して円滑に接触するが、逆方向回転時には、端子との引掛かりが生じやすく、接触が不安定となりがちである。
【００１１】
本発明は、かかる事情に鑑み、小型化を可能とし、特に複数配列されたときに電子機器を大型化することのないロータリアッテネータ装置を提供することを目的とする。
【００１２】
【課題を解決するための手段】
本発明に係るロータリアッテネータ装置は、円板状をなし周部に入力端子と出力端子が複数対取りつけられそれぞれの対の入出力端子間に抵抗を含む電子部品が接続された端子基板と、該端子基板の面に対して直角方向をなすようにハウジング内で該端子基板の中心に連結されかつ回転自在に支持された駆動軸と、複数対のうち一対の入力端子及び出力端子と摺動自在にそれぞれ弾性接触する入力接触子及び出力接触子と、ハウジングにより支持されハウジング内にまで及んで位置する中心導体を有する入力同軸コネクタ及び出力同軸コネクタとを備えている。
【００１３】
かかるロータリアッテネータ装置において、本発明は、第一発明として、端子基板の一方の面の側で入力接触子がそして他方の面の側で出力接触子がそれぞれ対応せる入力端子そして出力端子と接触するように取りつけられていることを特徴としている。
【００１４】
このような構成の第一発明では、入力端子と出力端子が互いに端子基板の反対側に配設されているので、それらの頭部の大きさに係りなく、両者は周方向に近接配置が可能となり、したがって、複数対の入力端子と出力端子を配置するとき、大きな周方向距離が要らないので、回路基板上での配置の半径方向距離も小さくできることとなり、その結果、端子基板が小型化され、アッテーネータ装置も小型化される。
【００１５】
本発明において、入力接触子及び出力接触子は端子基板の半径方向に延びる片持梁状のそれぞれの弾性腕体の一端に設けられ、該弾性腕体が他端で同軸コネクタの中心導体と接続かつ保持されているようにすることができる。
【００１６】
こうすることにより、接触子が半径方向に延びているので、端子基板の周方向には接触子のみの寸法だけを考慮し、接触子を支持する弾性腕体のためのスペースを上記周方向に確保する必要がなく、上記周方向、すなわち端子間方向での端子間距離が小さくてすみ、この点からも小型化がなされる。
【００１７】
本発明では、ハウジングは互いに平行に対向せる一対の平坦外面を有し、駆動軸、入力同軸コネクタそして出力同軸コネクタのそれぞれの軸線は、一対の外面と平行な面内に位置していることとすれば、外面同士を接面して複数のアッテネータ装置を配置でき、その場合、全幅が著しく小さくなる。。
【００１８】
又、第二発明としては、ハウジングは互いに平行に対向せる一対の平坦外面を有し、駆動軸、入力同軸コネクタそして出力同軸コネクタのそれぞれの軸線は、一対の外面と平行な一つの面内に位置していることを特徴としている。
【００１９】
この第二発明によれば、駆動軸、入力同軸コネクタそして出力同軸コネクタの軸線が、一対の外面と平行な一つの面内に位置しているため、アッテネータは第一発明よりも配列方向にさらに小型化されるので、複数のアッテネータ装置を配置したときに、配列方向全幅がきわめて小さくなり、アッテネータを使用する機器の小型化を図れる。
【００２０】
第二発明においても、入力接触子及び出力接触子は端子基板の半径方向に延びる片持梁状のそれぞれの弾性腕体の一端に設けられ、該弾性腕体が他端で同軸コネクタの中心導体と接続かつ保持されているようにすることができる。
又、第三の発明としては、ハウジングは、略直方体外形のブロック体をなしており、互いに直交する二つのハウジング外面のそれぞれに入力同軸コネクタそして出力同軸コネクタが取り付けられていることを特徴としている。
【００２１】
【発明の実施の形態】
以下、添付図面の図１ないし図４にもとづき、本発明の一実施形態を説明する。
【００２２】
図１のロータリアッテネータ装置は、金属ブロック状のハウジング１の中空室２内に円板状の端子基板３が収められている。該ハウジング１は、図示していないが分割可能となっていて、上記中空室２内に上記端子基板３を収めた後に、図示のごとく該端子基板３を包囲した形態に組立てが可能となっている。上記ハウジング１は、図１の紙面内で直交そして平行な軸線４Ａ，５Ａ，６Ａに対してそれぞれ直交する外面４，５，６を有すると共に、紙面に平行な一対の平坦外面７，８を有している（図１では一方の平坦外面７が図示されていおり、他方の面８は紙面の裏面に平行に位置する）。かくして、ハウジング１は略直方体外形のブロック体をなしている。本発明では、この外面は平坦でなくとも任意の形状をなしていてもよい。
【００２３】
上記ハウジング１の外面４，５には同軸コネクタ９，１０が取りつけられている。これらの同軸コネクタ９，１０は、使用時には、一方が入力同軸コネクタそして他方が出力同軸コネクタとして用いられる。該同軸コネクタ９，１０はハウジング外で同軸ケーブルとの接続のためのねじ部９Ａ，１０Ａがそれぞれ形成されている。又、上記同軸コネクタ９，１０Ｂはハウジング内にて突出する中心導体９Ｂ，１０Ｂをも有し、該中心導体９Ｂ，１０Ｂには接触子１１，１２が保持されている。該接触子１１，１２については、後に詳述する。又、上記ハウジング１の外面６からは、駆動軸１３が延出しており、軸線６Ａまわりの回転駆動用のツマミ（図示せず）がハウジング外で取付可能となっている。該駆動軸１３は、ハウジング１内にも突入しており、端子基板３をその中央位置にて支持している。該端子基板３と駆動軸１３との相互の位置決めそして取付けは、スペーサ１４，ナット１５等によって行われている。又、駆動軸１３とハウジング１との電気的導通は、スプリングワッシャ１６そして摺動部材１７によってなされている。
【００２４】
端子基板３は、図２(Ａ)，(Ｂ)に見られるごとく、円板状をなし、中央には駆動軸１３の貫通のためＤ字状の軸孔３Ａが形成されていて、その直線縁部３Ａ１で駆動軸１３との周方向係止がなされる。上記端子基板３は上記軸孔３Ａの周部の周面に、複数の孔１８が形成されており、必要時に基板の両面における電線の通しに供する。上記端子基板３の周部の外周部には、複数対の端子孔１９Ａ，１９Ｂが形成されており、一方の端子孔１９Ａには端子基板３の一方の側の面に突出して端子２０Ａが、そして他方の端子孔１９Ｂには他方の面に突出して端子２０Ｂに取りつけられている。
【００２５】
上記端子基板３は、上記端子２０Ａ，２０Ｂの取付面に破線斜線で示す導通面２２，２３が印刷されている。端子２０Ｂが取りつけられている面の導電面２３は、半径内方に延長部２４を有していて、該延長部２４と端子２０Ａ側の延長部２４との間、そして中央導電面２５との間で、アッテネータとして必要な抵抗等の電子部品２６が接続配置されている。各対の端子について配設される電子部品２６の抵抗値等電気特性値は異なっており、かくして、駆動軸１３を各対の端子毎にステップ状に回転することにより、入出力端子の特性が段落状に変化する。
【００２６】
同軸コネクタ９，１０の中心導体９Ｂ，１０Ｂにより保持されている接触子１１，１２は、図１及び図３のごとく端子基板３の半径方向で斜めに延びる弾性腕体２７，２８の一端に取りつけられている。弾性腕体２７，２８は他端側が中心導体９Ｂ，１０Ｂに接続保持されている。弾性腕体２７は端子基板３の半径方向内側に位置し、中間部で屈曲されて一端側と他端側が直角に位置している（なお、弾性腕体は半径方向外側に位置してもよい。）。又、弾性腕体２８は端子基板３の半径方向外側に位置し、若干湾曲しているが、その方向は端子基板３の半径方向に延びている。弾性腕体２７，２８の一端に取りつけられている接触子１１，１２自体は同一であり、図３に示す接触子１１について説明すると、端子２０Ａに接触する接触子１１は端子基板３の周方向に波形をなし同方向の両端部１１Ａがもち上がった形状となっていて、隣接せる端子への移動の際に、容易にこの隣接端子に乗り上げられるようになっている。又、上記接触子１１の中間部は波形の凹下面１１Ｂを形成していて、端子との接触位置を維持し易くなっている。かくして、接触子１１は、端子基板３のステップ回転移動により、接触相手となる端子が次々と移動しても、それらと、確実に接触でき正規の接触位置で停止してその状態を保持する。上記接触子１１の周方向幅（両端部１１Ａ間距離）は、端子の頭部直径よりも大きいが、上記凹下面１１Ｂが一つの端子に正規位置で接触しているときに隣接せる端子に接触しない幅となっている。
【００２７】
かくして、入出力同軸コネクタ９，１０に同軸ケーブルが接続された状態で、駆動軸１３をステップ回転することにより、入出力端子間の抵抗値等を変化させて減衰量を選択できる。
【００２８】
本発明では、一対の入出力端子が端子基板の両側に位置しているため、両端子間距離が小さくなり、そのため端子基板の半径も小さくなる。これは、アッテネータ装置の幅を小型化することを意味する。又、端子への接触子の接触を端子基板の半径方向とすることで、周方向での接触子の幅が小さくてすみ、この点でも装置の小型化となる。さらに、上記同軸コネクタそして駆動軸の軸線がすべて一つの面（仮想面）に位置していることとしているので、その点でも上記幅方向の寸法が小さくなる。
【００２９】
本発明のアッテネータ装置は、単独で使用することもできるが、複数の装置を配列した状態で使用することもでき、その場合、本発明の特徴が大きく活用される。図４のごとく、同軸コネクタ９，１０そして駆動軸１３が突出していないハウジング外面同士を接面して複数のアッテネータ装置を配列すると、一つの装置自体が幅狭のものとなっているので、全体の幅Ｌはきわめて小さくなり、これらを使用する電子機器の上記配列の方向で小型化される。
【００３０】
【発明の効果】
以上のように、本発明は、入力端子を端子基板の一方向にそして出力端子を他方の面に設けたので、対をなす入力端子と出力端子はその距離を小さくでき、又、これに加えて、接触子が端子基板の半径方向から接触するようにすれば、周方向は接触子保持のための空間を要せず、上記一対の両端子間の距離を小さいまま複数対の端子間も狭めて配置できる。その結果、端子基板の径方向寸法がきわめて小さくなり、アッテネータ装置の小型化を実現できる。入出力同軸コネクタそして駆動軸の軸線が平坦外面と平行な一つの面に位置するようにすれば装置の幅寸法をさらに小さくできる。装置を複数配列するときには、一対の平坦外面同士を接面して配置すれば、その効果はより一層著しくなる。
【図面の簡単な説明】
【図１】本発明の一実施形態のロータリアッテネータ装置の平坦外面に平行で入出力同軸コネクタ及び駆動軸の軸線を含む面での断面図である。
【図２】図１装置の端子基板を示し、(Ａ)は図１のＡ矢視図、(Ｂ)はＢ矢視図である。
【図３】図１装置の端子と接触子とを示す斜視図である。
【図４】図１装置を複数配列したときの斜視図である。
【図５】従来のロータリアッテネータ装置の複数配列時の斜視図である。
【図６】図５装置の端子基板と接触子との関係を示す図である。
【図７】図６の端子と接触子との接触状態を示す部分破断斜視図である。
【符号の説明】
１  ハウジング
３  端子基板
４Ａ，５Ａ，６Ａ  軸線
７，８  平坦外面
９，１０  同軸コネクタ
１１，１２  接触子
１３  駆動軸
２０Ａ，２０Ｂ  端子
２９  電子部品
【図１】
0003696540.tif 000002
【図２】
0003696540.tif 000003
【図３】
0003696540.tif 000004
【図４】
0003696540.tif 000005
【図５】
0003696540.tif 000006
【図６】
0003696540.tif 000007
【図７】
0003696540.tif 000008